(57)【要約】【課題】ドライバ装置の複雑化や回路規模の増大化を防ぎつつ、有機ＥＬ素子の寄生容量のプリチャージ電圧を必要な電圧や電流への設定制御を可能とする。【解決手段】表示パネルの駆動装置は、ｍ本の陽極線ＣＬを駆動する陽極ドライバ５０と、ｎ本の陰極線ＲＬを走査する陰極ドライバ６０と、制御手段とを有している。制御手段は、陰極ドライバ６０により選択された陰極線RLに接続されたEL素子４１の寄生容量Cpをプリチャージする工程において、ｎ本の陰極線RL中のＬ本の陰極線ＲＬとｍ本の陽極線ＣＬとを接地端子に切り替え、出力開始時の陽極ドライバ５０の出力電圧を、EL素子駆動電圧Ｖｆ付近にて印加するよう（Ｌ／ｎ）×Vccrにて電圧制御して、Ｌ本の陰極線RLに接続されたEL素子４１の寄生容量Cpをプリチャージする。  【選択図】図１
2007140473.tif 000002
【特許請求の範囲】
【請求項１】
複数のデータ線と複数の走査線との各交点に表示素子が接続された表示パネルに対して、前記データ線から前記表示素子を介して前記走査線に駆動電流を流すことにより、前記表示素子を点灯させる表示パネルの駆動方法であって、
選択された前記走査線に接続された前記表示素子の寄生容量をプリチャージする工程において、選択されていない前記走査線のうち所定の前記走査線に接続された前記表示素子の寄生容量をプリチャージし、
選択された前記走査線に接続された前記表示素子を点灯させる工程においては、選択された前記走査線に接続された前記表示素子を点灯させるように駆動することを特徴とする表示パネルの駆動方法。
【請求項２】
ｍ本（但し、ｍは２以上の正の整数）のデータ線とｎ本（但し、ｎは２以上の正の整数）の走査線との各交点に表示素子が接続された表示パネルに対して、データ線駆動回路の出力電圧を前記データ線に印加すると共に、走査線駆動回路において前記走査線を、駆動電圧Vccrが印加される電圧端子から接地電圧が印加される接地端子に切り替え、前記データ線から前記表示素子を介して前記走査線に駆動電流を流すことにより、前記表示素子を点灯させる表示パネルの駆動方法であって、
選択された前記走査線に接続された前記表示素子の寄生容量をプリチャージする工程において、前記ｎ本の走査線中のＬ本（但し、Ｌは正の整数）の走査線と前記ｍ本のデータ線とを前記接地端子に切り替え、出力開始時の前記データ線駆動回路の出力電圧を、表示素子駆動電圧Ｖｆ付近にて印加するよう
（Ｌ／ｎ）×Vccr
にて電圧制御して、前記Ｌ本の走査線に接続された前記表示素子の寄生容量をプリチャージすることを特徴とする表示パネルの駆動方法。
【請求項３】
ｍ本（但し、ｍは２以上の正の整数）のデータ線とｎ本（但し、ｎは２以上の正の整数）の走査線との各交点に表示素子が接続された表示パネルに対して、前記表示素子の点灯時には、前記データ線に出力電圧を印加して前記表示素子に駆動電流を流し、前記表示素子の非点灯時には、前記データ線を低電位端子に切り替え接続するデータ線駆動回路と、
前記走査線の選択時には、前記走査線を駆動電圧Vccrが印加される電圧端子から接地電圧が印加される接地端子に切り替え接続し、前記走査線の非選択時には、前記走査線を前記接地端子に切り替え接続する走査線駆動回路と、
選択された前記走査線に接続された前記表示素子の寄生容量をプリチャージする工程において、前記ｎ本の走査線中のＬ本（但し、Ｌは正の整数）の走査線と前記ｍ本のデータ線とを前記接地端子に切り替え、出力開始時の前記データ線駆動回路の出力電圧を、表示素子駆動電圧Ｖｆ付近にて印加するよう
（Ｌ／ｎ）×Vccr
にて電圧制御して、前記Ｌ本の走査線に接続された前記表示素子の寄生容量をプリチャージする制御手段と、
を有することを特徴とする表示パネルの駆動装置。
【請求項４】
複数のデータ線と複数の走査線との各交点に表示素子が接続された表示パネルに対して、データ線駆動回路の出力電圧を前記データ線に印加すると共に、走査線駆動回路において前記走査線を高電位レベルから低電位レベルに切り替え、前記データ線から前記表示素子を介して前記走査線に駆動電流を流すことにより、前記表示素子を点灯させる表示パネルの駆動方法であって、
選択された前記走査線に接続された前記表示素子の寄生容量をプリチャージする工程において、前記複数のデータ線の全てのデータがゼロであることを検出すると、前記データ線駆動回路の出力開始時に、選択された前記走査線のみを前記低電位レベルに切り替えて、選択された前記走査線に接続された前記表示素子の寄生容量をプリチャージすることを特徴とする表示パネルの駆動方法。
【請求項５】
複数のデータ線と複数の走査線との各交点に表示素子が接続された表示パネルに対して、前記表示素子の点灯時には、前記データ線に出力電圧を印加して前記表示素子に駆動電流を流し、前記表示素子の非点灯時には、前記データ線を低電位端子に切り替え接続するデータ線駆動回路と、
前記走査線の選択時には、前記走査線を高電位レベルから低電位レベルに切り替え、前記走査線の非選択時には、前記走査線を前記低電位レベルから前記高電位レベルに切り替える走査線駆動回路と、
選択された前記走査線に接続された前記表示素子の寄生容量をプリチャージする工程において、前記複数のデータ線の全てのデータがゼロであることを検出する検出回路と、
前記プリチャージする工程において、前記検出回路の検出結果に基づき、前記データ線駆動回路の出力開始時に、選択された前記走査線のみを前記低電位レベルに切り替えて、選択された前記走査線に接続された前記表示素子の寄生容量をプリチャージする制御手段と、
を有することを特徴とする表示パネルの駆動装置。
【請求項６】
ｍ本（但し、ｍは２以上の正の整数）のデータ線とｎ本（但し、ｎは２以上の正の整数）の走査線との各交点に表示素子が接続された表示パネルに対して、データ線駆動回路の出力電圧を前記データ線に印加すると共に、走査線駆動回路において前記走査線を、駆動電圧Vccrが印加される電圧端子から接地電圧が印加される接地端子に切り替え、前記データ線から前記表示素子を介して前記走査線に駆動電流を流すことにより、前記表示素子を点灯させる表示パネルの駆動方法であって、
選択された前記走査線に接続された前記表示素子の寄生容量をプリチャージする工程において、前記ｎ本の走査線中のＬ本（但し、Ｌは正の整数）を、前記走査線毎の前記表示素子の点灯率から求め、前記Ｌ本の走査線と前記ｍ本のデータ線とを前記接地端子に切り替え、出力開始時の前記データ線駆動回路の出力電圧を、
（Ｌ／ｎ）×Vccr
により制御して、前記Ｌ本の走査線に接続された前記表示素子の寄生容量をプリチャージすることを特徴とする表示パネルの駆動方法。
【請求項７】
ｍ本（但し、ｍは２以上の正の整数）のデータ線とｎ本（但し、ｎは２以上の正の整数）の走査線との各交点に表示素子が接続された表示パネルに対して、前記表示素子の点灯時には、前記データ線に出力電圧を印加して前記表示素子に駆動電流を流し、前記表示素子の非点灯時には、前記データ線を低電位端子に切り替え接続するデータ線駆動回路と、
前記走査線の選択時には、前記走査線を駆動電圧Vccrが印加される電圧端子から接地電圧が印加される接地端子に切り替え接続し、前記走査線の非選択時には、前記走査線を前記接地端子に切り替え接続する走査線駆動回路と、
選択された前記走査線に接続された前記表示素子の寄生容量をプリチャージする工程において、前記ｎ本の走査線中のＬ本（但し、Ｌは正の整数）を、前記走査線毎の前記表示素子の点灯率から求める算出回路と、
前記プリチャージする工程において、前記算出回路で求めた前記Ｌ本の走査線と前記ｍ本のデータ線とを前記接地端子に切り替え、出力開始時の前記データ線駆動回路の出力電圧を、
（Ｌ／ｎ）×Vccr
により制御して、前記Ｌ本の走査線に接続された前記表示素子の寄生容量をプリチャージする制御手段と、
を有することを特徴とする表示パネルの駆動装置。
【請求項８】
複数のデータ線と複数の走査線との各交点に表示素子が接続された表示パネルに対して、
前記走査線を選択してこの走査線と前記データ線に接続された前記表示素子を点灯する時には、前記走査線を駆動電圧が印加される電圧端子から接地電圧が印加される接地端子に切り替え接続すると共に、前記データ線に駆動電流を供給して前記表示素子を点灯させ、
点灯した前記表示素子を消灯する時には、前記走査線を前記接地端子から前記電圧端子に切り替え接続して前記走査線を非選択状態にすると共に、前記データ線を低電位レベルに切り替えて前記表示素子を消灯させる表示パネルの駆動方法であって、
前記表示素子の消灯時には、前記走査線に接続された前記表示素子の点灯から消灯へ移行する消灯率を求め、この消灯率に基づき、前記低電位レベルの電圧を変化させて、前記表示パネルのターンオフに伴い発生する点灯した前記表示素子の電圧の変化量を制御することを特徴とする表示パネルの駆動方法。
【請求項９】
複数のデータ線と複数の走査線との各交点に表示素子が接続された表示パネルに対して、前記表示素子の点灯時には、前記データ線に駆動電流を供給して前記表示素子に流し、前記表示素子の非点灯時には、前記データ線を低電位レベルに切り替えるデータ線駆動回路と、
前記走査線の選択時には、前記走査線を駆動電圧が印加される電圧端子から接地電圧が印加される接地端子に切り替え接続し、前記走査線の非選択時には、前記走査線を前記接地端子に切り替え接続する走査線駆動回路と、
前記走査線に接続された前記表示素子の点灯から消灯へ移行する消灯率を求める算出回路と、
前記算出回路で求めた前記消灯率に基づき、前記低電位レベルの電圧を変化させて、前記表示パネルのターンオフに伴い発生する点灯した前記表示素子の電圧の変化量を制御する制御手段と、
を有することを特徴とする表示パネルの駆動装置。
【請求項１０】
前記低電位レベルの電圧は、前記消灯率に基づき、ドライブスイッチのオン抵抗を可変にして変化させる構成にしたことを特徴とする請求項９記載の表示パネルの駆動装置。
【請求項１１】
前記低電位レベルの電圧は、前記消灯率に基づき、駆動電圧設定回路により変化させる構成にしたことを特徴とする請求項９記載の表示パネルの駆動装置。
【請求項１２】
前記表示素子は、有機エレクトロルミネッセンス素子を含む発光素子であることを特徴とする請求項１、２、４、６又は８記載の表示パネルの駆動方法。
【請求項１３】
前記表示素子は、有機エレクトロルミネッセンス素子を含む発光素子であることを特徴とする請求項３、５、７、９、１０又は１１記載の表示パネルの駆動装置。
【発明の詳細な説明】
【技術分野】
【０００１】
本発明は、自発光素子である有機エレクトロルミネッセンス素子（以下「有機ＥＬ素子」という。）等の発光素子を用いた表示パネルの駆動方法及びその駆動装置に関するものである。
【背景技術】
【０００２】
従来、有機ＥＬ素子等の発光素子を用いた表示パネルの駆動方法あるいは駆動装置に関する技術としては、例えば、次のような文献に記載されるものがあった。
【特許文献１】特開２００２−２０２７５４号公報
【特許文献２】特開２００２−２４４６１２号公報
【特許文献３】特開２００４−３０２０２５号公報
【特許文献４】特開２００５−３７４９８号公報
【特許文献５】特開２００５−１５６８５９号公報
【０００３】
この特許文献１には、パッシブマトリクス有機ＥＬ表示装置において、走査線（スキャンライン）の切り替え時に生じる非選択走査線の有機ＥＬ素子に対する充電電流を小さくすることが可能な有機ＥＬ駆動回路及びパッシブマトリクス有機ＥＬ表示装置の技術が記載されている。
【０００４】
特許文献２には、有機ＥＬ素子等の容量性発光素子の寄生容量に充電（チャージ）される電流のピークを抑えることで、ピーク電流によって発光素子等が受けるダメージを低減する容量性発光素子の駆動装置に関する技術が記載されている。
【０００５】
特許文献３には、発光素子として例えば有機ＥＬ素子を用いた発光表示パネルの時間階調を実効する場合において、輝度分解能をそれ程細分化せずに良好な階調表現を実現できるパッシブ駆動型発光表示パネルの駆動方法をに関する技術が記載されている。
【０００６】
特許文献４には、発光素子として例えば有機ＥＬ素子を用いた発光表示パネルにおいて、発光素子の点灯状態（走査線毎の素子の点灯率、及びディマー（dimmer)設定値）に起因して発生する水平クロストークを低減できる発光表示パネルの駆動装置に関する技術が記載されている。
【０００７】
更に、特許文献５には、有機ＥＬ素子等の自発光素子をマトリクス状に配列したパッシブ駆動型表示パネルにおいて、回路規模の増大を抑えると共に、自発光素子へのプリチャージを効率的に行い、自発光素子の発光可能時間を確保することにより、正確に階調表現できる自発光表示パネルの駆動装置に関する技術が記載されている。
【０００８】
図２は、特許文献５等に記載された従来のパッシブ駆動型表示パネルの駆動装置における構成例を示す概略の回路図である。
【０００９】
パッシブ駆動型表示パネル１０は、複数の陽極線ＣＬ（＝ＣＬ０，ＣＬ１，ＣＬ２，・・・，ＣＬｍ）と複数の陰極線ＲＬ（＝ＲＬ０，ＲＬ１，ＲＬ２，・・・，ＲＬｎ）とがマトリクス状に配置され、その各交点位置に自発光素子である例えば有機ＥＬ素子（以下単に「ＥＬ素子」という。）１１（＝１１−０，１１−０１，・・・）がそれぞれ接続されている。ＥＬ素子１１は、電気的にダイオード成分からなる発光エレメントＥと、この発光エレメントＥに並列に結合する寄生容量Ｃｐとによる等価回路構成に置換できる容量性の発光素子である。
【００１０】
このような表示パネル１０において、例えば、陽極線ＣＬをデータ線とし、陰極線ＲＬを走査線とした場合、これらを駆動（ドライブ）する駆動装置は、陽極ドライバ２０と陰極ドライバ３０を備えている。
【００１１】
陽極ドライバ２０は、電源電圧Ｖ１が印加されて動作する駆動源である複数の定電流源２１（＝２１−０，２１−１，２１−２，・・・，２１−ｍ）と、各陽極線ＣＬを選択する複数のドライブスイッチ２２（＝２２−０，２２−１，２２−２，・・・，２２−ｎ）とを有している。各ドライブスイッチ２２は、図示しない発光制御回路により、陽極線ＣＬと定電流源２１又はグランド（以下「ＧＮＤ」という。）とを切り替え接続する。陰極ドライバ３０は、各陰極線ＲＬを順に走査（スキャン）する複数の走査スイッチ３１（＝３１−０，３１−１，３１−２，・・・，３１−ｎ）を有し、各走査スイッチ３１は、図示しない発光制御回路により、各陰極線ＲＬと逆バイアス電圧Ｖ２又はＧＮＤとを切り替え接続する。
【００１２】
このような駆動装置において、図示しない発光制御回路により、陰極線ＲＬが一定の時間間隔で順次選択されて走査されると共に、この走査に同期して定電流源２１から供給される定電流により陽極線ＣＬが駆動され、任意の交点位置のＥＬ素子１１が発光する。
【００１３】
例えば、陽極線ＣＬ０及び陰極線ＲＬ０の交点位置のＥＬ素子１１−００を発光させる場合、先ず、走査スイッチ３１−０がＧＮＤ側に切り替えられ、陰極線ＲＬ０が走査される。一方、陽極線ＣＬ０には、ドライブスイッチ２２−０によって定電流源２１−０が接続される。又、他の陰極線ＲＬ１，ＲＬ２，・・・には、走査スイッチ３１−１，３１−２，・・・により逆バイアス電圧Ｖ２が印加されると共に、他の陽極線ＣＬ１，ＣＬ２，・・・が、ドライブスイッチ２２−１，２２−２，・・・によりＧＮＤ側に接続される。これにより、ＥＬ素子１１−００のみが順方向にバイアスされて発光し、他のＥＬ素子１１は、定電流源２１−１，２１−２，・・・から定電流が供給されないために発光しない。
【００１４】
ＥＬ素子１１は、発光制御電圧（駆動電圧）が印加されると、先ず、このＥＬ素子１１の電気容量に相当する電荷が電極に変位電流として流れ込み蓄積される。当該素子固有の一定の電圧（発光閾値電圧）を越えると、電極（発光エレメントＥのアノード側）から発光層を構成する有機層に電流が流れ初め、この電流（駆動電流）にほぼ比例した強度（輝度）で発光する。駆動電圧が発光閾値電圧以下の場合には、ＥＬ素子１１には電流が殆ど流れず発光しない。輝度特性は、発光閾値電圧より大なる発光可能領域においては、それに印加される駆動電圧の値が大きくなるほど、その発光輝度が大きくなる特性を有している。
【００１５】
このＥＬ素子１１のパッシブ駆動型表示パネル１０において、階調表示を行う方式の１つとして、時間階調制御方式がある。時間階調制御方式とは、ＥＬ素子１１を定電流駆動して発光させると共に、その発光時間を一定時間毎に制御することにより、階調する方式である。ところが、この時間階調制御方式においては、ＥＬ素子１１が有する容量性に起因して、次のような不都合がある。
【００１６】
パッシブ駆動において、先ず、ＥＬ素子１１の寄生容量Ｃｐに電荷が変位電流として蓄積され、その後に発光が開始されるため、ＥＬ素子１１の寄生容量Ｃｐへの充電（これを「プリチャージ」という。）を実施しないと、ＥＬ素子１１の素子電圧が発光閾値まで昇圧するのに時間を要し、ＥＬ素子１１の発光が不十分となる。そのため、時間階調制御方式においては、陰極リセット法等の方法により、ＥＬ素子１１に対して発光開始直前に定電圧や定電流を供給し、ＥＬ素子１１の寄生容量Ｃｐにプリチャージを実施する必要がある。
【００１７】
図３（ａ）〜（ｄ）は、特許文献４等に記載された従来の図２の駆動装置における陰極リセット法の動作を示す図であり、同図（ａ）は点灯状態、同図（ｂ）はリセット状態、同図（ｃ）はプリチャージ状態、及び同図（ｄ）は点灯状態を示す図である。図４は、図３の陰極リセット法の模式的なタイムチャートであり、ｔ０は図３（ｂ）のリセット開始時刻、ｔ１は図３（ｂ）のリセット終了後に短時間に行われる図３（ｃ）のプリチャージ開始及び終了付近の時刻である。
【００１８】
図２の表示パネル１０において、例えば、陽極線ＣＬ０及び陰極線ＲＬ０に接続されたＥＬ素子１１−００が発光駆動されている図３（ａ）の状態から、次の走査において、陽極線ＣＬ０及び陰極線ＲＬ１に接続されたＥＬ素子１１−０１が発光駆動される図３（ｄ）の状態までの陰極動作を説明する。
【００１９】
図３（ａ）の点灯（Lighting）時において、ＥＬ素子１１−００を発光駆動する場合は、陽極ドライバ２０のドライブスイッチ２２−０を定電流源２１−０側の高レベル（以下「“Ｈ”」という。）に切り替え、陰極ドライバ３０の走査スイッチ３１−０をＧＮＤ側の低レベル（以下「“Ｌ”」という。）に切り替えて陰極線ＲＬ０を走査すると共に、それ以外の走査スイッチ３１−１〜３１−ｎを逆バイアス電圧Ｖ２側の“Ｈ”に切り替えて陰極線ＲＬ１〜ＲＬｎを非走査状態にする。定電流源２１−０→ドライブスイッチ２２−０→陽極線ＣＬ０→ＥＬ素子１１−００→陰極線ＲＬ０→走査スイッチ３１−０→ＧＮＤの経路で駆動電流が流れ、ＥＬ素子１１−００が発光すると共に、この寄生容量Ｃｐが充電（チャージ）される。
【００２０】
図３（ｂ）のリセット（Reset）時において（図４の時刻ｔ０）、全ドライブスイッチ２２−０〜２２−ｍ（＝全陽極線ＣＬ０〜ＣＬｍ）及び全走査スイッチ３１−０〜３１−ｎ（＝陰極線ＲＬ０〜ＲＬｎ）をＧＮＤ側の“Ｌ”に切り替えると（なお、全ドライブスイッチ２２−０〜２２−ｍは時刻ｔ０以前にＧＮＤ側に切り替えておいても良い。）、各ＥＬ素子１１−００〜１１−０ｎの寄生容量Ｃｐに蓄積された電荷が、陰極線ＲＬ０〜ＲＬｎ→走査スイッチ３１−０〜３１−ｎ→ＧＮＤの経路で放電（ディスチャージ）される。又、陽極線ＣＬ０等の配線容量に蓄積された電荷が、ドライブスイッチ２２−０→ＧＮＤの経路で放電され、リセット動作が終了する（図４の時刻ｔ１の前）。
【００２１】
図３（ｃ）のプリチャージ（Pre-Charge）時において（図４の時刻ｔ１の直前付近）、次の陰極線ＲＬ１を走査してＥＬ素子１１−０１を発光させるために、同時タイミングにて全ドライブスイッチ２２−０〜２２−ｍ（＝全陽極線ＣＬ０〜ＣＬｍ）を定電流源２１−０〜２１−ｍ側の“Ｈ”に切り替えると共に、走査スイッチ３１−１（＝陰極線ＲＬ１）のみをＧＮＤ側の“Ｌ”に保持したまま、他の走査スイッチ３１−０，３１−２〜３１−ｎ（＝陰極線ＲＬ０，ＲＬ１〜ＲＬｎ）を逆バイアス電圧Ｖ２側の“Ｈ”に切り替える。
【００２２】
すると、短時間に、定電流源２１−０→ドライブスイッチ２２−０→陽極線ＣＬ０→ＥＬ素子１１−０１の寄生容量Ｃｐ→陰極線ＲＬ１→走査スイッチ３１−１→ＧＮＤの経路で駆動電流が流れると共に、他のＥＬ素子１１−００，１１−０２〜１１−ｎの寄生容量Ｃｐに蓄積された電荷が、陽極線ＣＬ０→ＥＬ素子１１−０１の寄生容量Ｃｐ→陰極線ＲＬ１→走査スイッチ３１−１→ＧＮＤの経路で放電する。これにより、次に発光されるＥＬ素子１１−０１の寄生容量Ｃｐが急速にプリチャージされる（図４の時刻ｔ１付近）。
【００２３】
その後、図３（ｄ）の点灯（Lighting）時において、定電流源２１−０から陽極線ＣＬ０へ供給される駆動電流により、ＥＬ素子１１−０１の順方向電圧が瞬時に立ち上がって発光する。
【発明の開示】
【発明が解決しようとする課題】
【００２４】
しかしながら、従来の陰極リセット法では、次のような課題があった。
図５は、図２の陽極線出力の跳ね上がりの課題を説明するための模式的なタイムチャートであり、図４の時刻ｔ０，ｔ１に相当する図である。
【００２５】
従来の陰極リセット法は、時刻ｔ０後の時刻ｔ１付近において、走査する陰極線ＲＬ１以外の全陰極線ＲＬ０，ＲＬ２〜ＲＬｎの“Ｈ”への同時変化により、走査する陰極線ＲＬ１の寄生容量Ｃｐに、定電流駆動電圧に加えて他の陰極線ＲＬ０，ＲＬ２〜ＲＬｎの寄生容量Ｃｐの過剰な電荷を流し込んで、急速にプリチャージしている。
【００２６】
しかし、この方法では、図５に示すように、表示パネル１０の寄生容量や寄生抵抗による影響を制御できないため、一般的に陽極ドライバ２０の電源電圧Ｖ１と陰極ドライバ３０の逆バイアス電圧Ｖ２とを同一にして使用する場合、時刻ｔ１付近において、陽極線ＣＬ側の出力電圧が跳ね上がる傾向があり、陽極線ＣＬに意図せぬ高電圧が印加され、ＥＬ素子１１の破壊や表示不良等の不具合が発生するという課題があった。又、本来“Ｈ”になるべきではない陽極線ＣＬの電圧が上昇することにより、駆動すべきでない陽極線ＣＬに瞬間的に電流が流れ、例えば黒表示が薄く光る擬似発光が発生するという課題もあった。
【００２７】
このような課題を解決するために、陽極ドライバ２０の電源電圧Ｖ１に対し、陰極ドライバ３０の逆バイアス電圧Ｖ２を閾値電圧Ｖｔｈを超えないよう低い電圧に抑えて駆動する方法も提案されている。ところが、この方法では、電源電圧Ｖ１と逆バイアス電圧Ｖ２の２つの別電圧を生成する必要があり、回路構成としてより複雑なものとなり、駆動装置の回路規模が大きくなるという課題が生じる。
【００２８】
以上述べたいずれの方法であっても、ＥＬ素子１１の寄生容量Ｃｐのプリチャージ電圧を必要な電圧や電流への設定制御が不可能か、可能であっても駆動装置の複雑化や回路規模の増大化を招くものであった。
【課題を解決するための手段】
【００２９】
本発明の内の第１の発明は、複数のデータ線と複数の走査線との各交点に表示素子が接続された表示パネルに対して、前記データ線から前記表示素子を介して前記走査線に駆動電流を流すことにより、前記表示素子を点灯させる表示パネルの駆動方法あるいは駆動装置であって、選択された前記走査線に接続された前記表示素子の寄生容量をプリチャージする工程において、選択されていない前記走査線のうち所定の前記走査線に接続された前記表示素子の寄生容量をプリチャージし、選択された前記走査線に接続された前記表示素子を点灯させる工程においては、選択された前記走査線に接続された前記表示素子を点灯させるように駆動することを特徴とする。
【００３０】
第２の発明は、ｍ本（但し、ｍは２以上の正の整数）のデータ線とｎ本（但し、ｎは２以上の正の整数）の走査線との各交点に表示素子が接続された表示パネルに対して、データ線駆動回路の出力電圧を前記データ線に印加すると共に、走査線駆動回路において前記走査線を、駆動電圧Vccrが印加される電圧端子から接地電圧が印加される接地端子に切り替え、前記データ線から前記表示素子を介して前記走査線に駆動電流を流すことにより、前記表示素子を点灯させる表示パネルの駆動方法あるいは駆動装置であって、選択された前記走査線に接続された前記表示素子の寄生容量をプリチャージする工程において、前記ｎ本の走査線中のＬ本（但し、Ｌは正の整数）の走査線と前記ｍ本のデータ線とを前記接地端子に切り替え、出力開始時の前記データ線駆動回路の出力電圧を、表示素子駆動電圧Ｖｆ付近にて印加するよう（Ｌ／ｎ）×Vccrにて電圧制御して、前記Ｌ本の走査線に接続された前記表示素子の寄生容量をプリチャージすることを特徴とする。
【００３１】
第３の発明は、複数のデータ線と複数の走査線との各交点に表示素子が接続された表示パネルに対して、データ線駆動回路の出力電圧を前記データ線に印加すると共に、走査線駆動回路において前記走査線を高電位レベルから低電位レベルに切り替え、前記データ線から前記表示素子を介して前記走査線に駆動電流を流すことにより、前記表示素子を点灯させる表示パネルの駆動方法あるいは駆動装置であって、選択された前記走査線に接続された前記表示素子の寄生容量をプリチャージする工程において、前記複数のデータ線の全てのデータがゼロであることを検出すると、前記データ線駆動回路の出力開始時に、選択された前記走査線のみを前記低電位レベルに切り替えて、選択された前記走査線に接続された前記表示素子の寄生容量をプリチャージすることを特徴とする。
【００３２】
第４の発明はｍ本のデータ線とｎ本の走査線との各交点に表示素子が接続された表示パネルに対して、データ線駆動回路の出力電圧を前記データ線に印加すると共に、走査線駆動回路において前記走査線を、駆動電圧Vccrが印加される電圧端子から接地電圧が印加される接地端子に切り替え、前記データ線から前記表示素子を介して前記走査線に駆動電流を流すことにより、前記表示素子を点灯させる表示パネルの駆動方法あるいは駆動装置であって、選択された前記走査線に接続された前記表示素子の寄生容量をプリチャージする工程において、前記ｎ本の走査線中のＬ本を、前記走査線毎の前記表示素子の点灯率から求め、前記Ｌ本の走査線と前記ｍ本のデータ線とを前記接地端子に切り替え、出力開始時の前記データ線駆動回路の出力電圧を、（Ｌ／ｎ）×Vccrにより制御して、前記Ｌ本の走査線に接続された前記表示素子の寄生容量をプリチャージすることを特徴とする。
【００３３】
第５の発明は、複数のデータ線と複数の走査線との各交点に表示素子が接続された表示パネルに対して、前記走査線を選択してこの走査線と前記データ線に接続された前記表示素子を点灯する時には、前記走査線を駆動電圧が印加される電圧端子から接地電圧が印加される接地端子に切り替え接続すると共に、前記データ線に駆動電流を供給して前記表示素子を点灯させ、点灯した前記表示素子を消灯する時には、前記走査線を前記接地端子から前記電圧端子に切り替え接続して前記走査線を非選択状態にすると共に、前記データ線を低電位レベルに切り替えて前記表示素子を消灯させる表示パネルの駆動方法あるいは駆動装置であって、前記表示素子の消灯時には、前記走査線に接続された前記表示素子の点灯から消灯へ移行する消灯率を求め、この消灯率に基づき、前記低電位レベルの電圧を変化させて、前記表示パネルのターンオフに伴い発生する点灯した前記表示素子の電圧の変化量を制御することを特徴とする。
【発明の効果】
【００３４】
第１〜第４の発明によれば、駆動装置の複雑化や回路規模の増大化を招かず、データ線駆動回路の出力にかかる電圧を制御することが可能となり、表示素子の破壊や時間階調表示不良等の不具合を防止でき、且つ寄生容量のプリチャージが可能となる。
【００３５】
第５の発明によれば、表示パネルのターンオフに伴い発生する点灯素子の電圧の変化量に起因して発生するクロストークを低減できる。
【発明を実施するための最良の形態】
【００３６】
表示パネルの駆動装置は、データ線駆動回路と、走査線駆動回路と、制御手段とを有している。
【００３７】
前記データ線駆動回路は、ｍ本（但し、ｍは２以上の正の整数）のデータ線とｎ本（但し、ｎは２以上の正の整数）の走査線との各交点に表示素子が接続された表示パネルに対して、前記表示素子の点灯時には、前記データ線に出力電圧を印加して前記表示素子に駆動電流を流し、前記表示素子の非点灯時には、前記データ線を低電位端子に切り替え接続する回路である。前記走査線駆動回路は、前記走査線の選択時には、前記走査線を駆動電圧Vccrが印加される電圧端子から接地電圧が印加される接地端子に切り替え接続し、前記走査線の非選択時には、前記走査線を前記接地端子に切り替え接続する回路である。
【００３８】
前記制御手段は、選択された前記走査線に接続された前記表示素子の寄生容量をプリチャージする工程において、前記ｎ本の走査線中のＬ本（但し、Ｌは正の整数）の走査線と前記ｍ本のデータ線とを前記接地端子に切り替え、出力開始時の前記データ線駆動回路の出力電圧を、表示素子駆動電圧Ｖｆ付近にて印加するよう（Ｌ／ｎ）×Vccrにて電圧制御して、前記Ｌ本の走査線に接続された前記表示素子の寄生容量をプリチャージするものである。
【実施例１】
【００３９】
（実施例１の構成）
図１は、本発明の実施例１におけるパッシブ駆動型表示パネルの駆動装置を示す概略の構成図である。
【００４０】
パッシブ駆動型表示パネル４０は、従来と同様に、複数の陽極線ＣＬ（＝ＣＬ０，ＣＬ１，ＣＬ２，・・・，ＣＬｍ−１，ＣＬｍ）と複数の陰極線ＲＬ（＝ＲＬ０，ＲＬ１，ＲＬ２，・・・，ＲＬｎ−１，ＲＬｎ）とがマトリクス状に配置され、その各交点位置に自発光素子である例えばＥＬ素子４１（＝４１−００，４１−０１，・・・）がそれぞれ接続されている。各ＥＬ素子４１には、これと並列に寄生容量Ｃｐが結合している。
【００４１】
このような表示パネル４０において、例えば、陽極線ＣＬをデータ線とし、陰極線ＲＬを走査線とした場合、これらを駆動する駆動装置は、データ線駆動回路である陽極ドライバ５０と、走査線駆動回路である陰極ドライバ６０とを備えている。
【００４２】
陽極ドライバ５０は、電源電圧Vcccが印加されて動作する駆動源である定電流回路５１と、各陽極線ＣＬを選択する複数のドライブスイッチ５３（＝５３−０，５３−１，５３−２，・・・，５３−ｍ−１，５３−ｍ）とを有している。定電流回路５１は、複数の定電流源５２（＝５２−０，５２−１，５２−２，・・・，５２−ｍ−１，５２−ｍ）により構成されている。各ドライブスイッチ５３は、タイミング制御回路７０、陽極データ転送回路８１、及び陽極ドライバ制御回路８３により、各陽極線ＣＬと各定電流源５２又は接地電圧VsshのＧＮＤとを切り替え接続するスイッチ素子である。
【００４３】
陰極ドライバ６０は、各陰極線ＲＬを順に走査する複数の走査スイッチ６１（＝６１−０，６１−１，６１−２，・・・，６１−ｎ−１，６１−ｎ）を有し、各走査スイッチ６１は、タイミング制御回路７０、陰極データ転送回路８２、及び陰極ドライバ制御回路８４により、各陰極線ＲＬと逆バイアス電圧Vccr又は接地電圧VsshのＧＮＤとを切り替え接続するスイッチ素子である。
【００４４】
なお、図１では、図面を見やすくするために便宜的に、陽極ドライバ５０、定電流回路５１、及び陰極ドライバ６０のブロック図が左側に描かれ、これらの各ブック図の回路図が右側に描かれている。
【００４５】
タイミング制御回路７０は、制御回路（例えば、中央処理装置（以下「ＣＰＵ」という。））に対するＣＰＵインタフェース６９を介してそのＣＰＵとの間で制御信号等の授受を行い、内部の制御手段からの陰極制御信号Ｓ７０の出力、プリチャージタイミングや時間階調タイミング等の各種タイミング信号の出力、及び画像処理等を行う回路である。このタイミング制御回路７０には、タイミングの制御を行うための定電流回路５１、陽極データ転送回路８１、陰極データ転送回路８２、陽極ドライバ制御回路８３、及び陰極ドライバ制御回路８４が接続されている。
【００４６】
陽極データ転送回路８１は、タイミング制御回路７０から供給される陰極制御信号Ｓ７０、及び陽極データ等を入力し、この陽極データ等をラッチ回路に取り込んでシフトレジスタ等によって転送する回路であり、この出力側に陽極ドライバ制御回路８３が接続されている。陰極データ転送回路８２は、タイミング制御回路７０から供給される陰極制御信号Ｓ７０、及び陰極線走査データ等を入力し、この陰極線走査データ等をラッチ回路に取り込んでシフトレジスタ等によって転送する回路であり、この出力側に陰極ドライバ制御回路８４が接続されている。
【００４７】
陽極ドライバ制御回路８３は、タイミング制御回路７０から供給される陰極制御信号Ｓ７０を入力すると共に、陽極データ転送回路８１から供給される陽極データ等を入力し、陽極ドライバ５０のディスチャージ、プリチャージ、階調タイミング等を制御する回路である。陰極ドライバ制御回路８４は、タイミング制御回路７０から供給される陰極制御信号Ｓ７０を入力すると共に、陰極データ転送回路８２から供給される陰極線走査データ等を入力し、陰極ドライバ６０のディスチャージ、プリチャージ、掃引タイミング、非掃引タイミング等を制御する回路である。
【００４８】
タイミング制御回路７０、陽極データ転送回路８１、陰極データ転送回路８２、陽極ドライバ制御回路８３、及び陰極ドライバ制御回路８４には、駆動用の電源電圧Vdd、及び接地電圧Vssが印加されている。
【００４９】
（実施例１の表示パネルの駆動方法）
図６（ａ）〜（ｄ）は、図１の駆動装置の陰極リセット法における陽極電圧制御の陰極動作を示す図であり、同図（ａ）は点灯状態、同図（ｂ）はリセット状態、同図（ｃ）はプリチャージ状態、及び同図（ｄ）は点灯状態を示す図である。図７は、図６の陰極リセット法の模式的なタイムチャートであり、ｔ０は図６（ｂ）のリセット開始時刻、ｔ１は図６（ｂ）のリセット終了後に短時間に行われる図６（ｃ）のプリチャージ開始及び終了付近の時刻である。
【００５０】
図１の表示パネル４０において、例えば、陽極線ＣＬ０及び陰極線ＲＬ０に接続されたＥＬ素子４１−００が発光駆動されている状態から、次の走査において、陽極線ＣＬ０及び陰極線ＲＬ１に接続されたＥＬ素子４１−０１が発光駆動される状態までの陰極動作を説明する。
【００５１】
表示パネル４０を駆動する場合は、図示しないＣＰＵから送られてくるデータや制御信号をＣＰＵインタフェース６９を介してタイミング制御回路７０に入力する。タイミング制御回路７０では、陰極制御信号Ｓ７０の出力、プリチャージタイミングや時間階調タイミング等の各種タイミング信号の出力、及び画像処理等を行い、駆動装置全体のタイミング制御を行う。
【００５２】
タイミング制御回路７０から出力された陽極データ及び陰極データ等のうち、陽極データ等は、陽極データ転送回路８１を介して陽極ドライバ制御回路８３へ転送され、この陽極ドライバ制御回路８３により、陽極ドライバ５０中のドライブスイッチ５３−０〜５３−ｍの切り替え制御が行われる。タイミング制御回路７０から出力された陰極データ等は、陰極データ転送回路８２を介して陰極ドライバ制御回路８４へ転送され、この陰極ドライバ制御回路８４により、陰極ドライバ６０中の走査スイッチ６１−０〜６１−ｎの切り替え制御が行われる。又、タイミング制御回路７０によってタイミング制御される定電流回路５１により、定電流源５２−０〜５２−ｍから一定の駆動電流が出力される。
【００５３】
図６（ａ）の点灯（Lighting）時において、ＥＬ素子４１−００を発光駆動する場合は、陽極ドライバ５０のドライブスイッチ５３−０（＝陽極線ＣＬ０）が定電流源５２−０側の“Ｈ”に切り替えられ、陰極ドライバ６０の走査スイッチ６１−０（＝陰極線ＲＬ０）がＧＮＤ側の“Ｌ”に切り替えられて陰極線ＲＬ０が走査されると共に、それ以外の走査スイッチ６６１−１〜６１−ｎ（＝陰極線ＲＬ１〜ＲＬｎ）が逆バイアス電圧Vccr側の“Ｈ”に切り替えられて陰極線ＲＬ１〜ＲＬｎが非走査状態になる。これにより、定電流源５２−０→ドライブスイッチ５３−０→陽極線ＣＬ０→ＥＬ素子４１−００→陰極線ＲＬ０→走査スイッチ６１−０→ＧＮＤの経路で駆動電流が流れ、ＥＬ素子４１−００が発光すると共に、この寄生容量Ｃｐが充電（チャージ）される。
【００５４】
図６（ｂ）のリセット（Reset）時において（図７の時刻ｔ０）、タイミング制御回路７０から出力される陰極制御信号Ｓ７０の制御により、全ドライブスイッチ５３−０〜５３−ｍ（＝全陽極線ＣＬ０〜ＣＬｍ）がＧＮＤ側の“Ｌ”に切り替えられると共に、全走査スイッチ６１−０〜６１−ｎ中の走査スイッチ６１−１（＝陰極線ＲＬ１）を含めたＬ個（２≦Ｌ＜ｎ＋１）の走査スイッチ６１（＝陰極線ＲＬ）のみがＧＮＤ側の“Ｌ”に切り替えら、これらに接続されたＥＬ素子４１の寄生容量Ｃｐに蓄積された電荷が、そのＬ個の走査スイッチ６１を介してＧＮＤ側に放電される。又、陽極線ＣＬ０等の配線容量に蓄積された電荷が、ドライブスイッチ５３−０→ＧＮＤの経路で放電され、リセット動作が終了する（図７の時刻ｔ１の前）。なお、全ドライブスイッチ５３−０〜５３−ｍは時刻ｔ０以前にＧＮＤ側に切り替えておいても良い。
【００５５】
図６（ｃ）のプリチャージ（Pre-Charge）時において（図７の時刻ｔ１の直前付近）、次の陰極線ＲＬ２を走査してＥＬ素子４１−０１を発光させるために、ドライブスイッチ５３−０が定電流源５２−０側の“Ｈ”に切り替えられると共に、タイミング制御回路７０から出力される陰極制御信号Ｓ７０の制御により、全走査スイッチ６１−０〜６１−ｎ中の走査スイッチ６１−１（＝陰極線ＲＬ１）を含めたＬ個（２≦Ｌ＜ｎ＋１）の走査スイッチ６１（＝陰極線ＲＬ）のみがＧＮＤ側の“Ｌ”に保持されたまま、他の（ｎ＋１−Ｌ）個の走査スイッチ６１が逆バイアス電圧Vccr側の“Ｈ”に切り替えられる。すると、短時間に、定電流源５３−０→ドライブスイッチ５３−０→陽極線ＣＬ０→ＥＬ素子４１−０１の寄生容量ＣＬｐ→陰極線ＲＬ１→走査スイッチ６１−１→ＧＮＤの経路で駆動電流が流れると共に、他の（Ｌ−１）個のＥＬ素子４１−００，・・・の寄生容量Ｃｐに蓄積された電荷が、陽極線ＣＬ０→ＥＬ素子４１−０１の寄生容量Ｃｐ→陰極線ＲＬ１→走査スイッチ６１−１→ＧＮＤの経路で放電する。これにより、次に発光されるＥＬ素子４１−０１の寄生容量Ｃｐが急速に充電される（図７の時刻ｔ１付近）。
【００５６】
その後、図６（ｄ）の点灯（Lighting）時において、定電流源５２−０から陽極線ＣＬ０へ供給される駆動電流により、ＥＬ素子４１−０１の順方向電圧が瞬時に立ち上がって発光する。
【００５７】
（実施例１の効果）
図８（ａ）、（ｂ）は、従来と比較したときの図１の陰極リセット法における模式的な陽極動作波形を示す図である。
【００５８】
本実施例１では、タイミング制御回路７０内の制御手段から出力される陰極制御信号Ｓ７０により、陰極リセット法のリセット及びプリチャージ時において、全陽極線ＣＬ０〜ＣＬｍと全陰極線ＲＬ０〜ＲＬｎ中のＬ本の陰極線ＲＬとを同時に“Ｌ”にすることにより、事前に次に発光させるためのＥＬ素子４１の寄生容量Ｃｐに対するプリチャージを実施している。これにより、陽極ドライバ５０の出力開始時の陽極線ＣＬの出力電圧を、図８（ｂ）に示すように、略Ｖｔｈ｛＝［Ｌ／（ｎ）］×Vccr｝に制御可能となり、この出力電圧Ｖｔｈを陽極駆動電圧Ｖｆ付近に設定できるので、図８（ａ）に示すような従来の陽極線出力の跳ね上がりを防止できる。
【００５９】
よって、駆動装置の回路の複雑化や回路規模の増大化を招かず、陽極線出力に（１／陰極線数ｎ）を最小分解能とする設定電位に印加可能となり、ＥＬ素子４１の破壊や時間階調表示不良等の不具合を防止でき、且つＥＬ素子４１の寄生容量Ｃｐのプリチャージが可能となる。
【実施例２】
【００６０】
（実施例２の構成）
図９は、本発明の実施例２におけるパッシブ駆動型表示パネルの駆動装置を示す概略の構成図であり、実施例１を示す図１中の要素と共通の要素には共通の符号が付されている。
【００６１】
本実施例２のパッシブ駆動型表示パネルの駆動装置では、実施例１の駆動装置に対し、陽極データの全データが例えば黒色となる「０」の場合を検出するために、タイミング制御回路７０、陽極データ転送回路８１、及び陽極ドライバ制御回路８３にそれぞれ「０」検出手段７０ａ，８１ａ，８３ａが設けられ、その「０」検出結果が陰極データ転送回路８２又は陰極ドライバ制御回路８４に与えられる構成になっている。その他の構成は、実施例１と同様である。
【００６２】
（実施例２の表示パネルの駆動方法）
図１０は、図９の陽極データが「０」のときの陰極リセット法の制御動作を示す模式的なタイムチャートであり、実施例１の図７のタイムチャートに対応している。
【００６３】
陰極リセット法において時刻ｔ０のリセット開始時、時刻ｔ１前のリセット終了時、及び時刻ｔ１付近のプリチャージ時に、陽極データの全データが例えば黒色となる「０」の場合、タイミング制御回路７０や陽極データ転送回路８１や陽極ドライバ制御回路８３にて「０」検出手段７０ａ，８１ａ，８３ａをアサートし（有効にし）、タイミング制御回路７０と陰極データ転送回路８２又は陰極ドライバ制御回路８４により、全陰極線ＲＬ０〜ＲＬｎ中の該当する陰極線ＲＬ１のみを“Ｌ”（走査）とし、その他の走査線（陰極線）の“Ｌ”化を実施しない。
【００６４】
（実施例２の効果）
本実施例２によれば、「０」検出手段７０ａ，８１ａ，８３ａを設けたので、全陽極データ黒時、陰極リセット法を未実施に制御可能となり、不要な寄生容量Ｃｐのプリチャージを防止でき、擬似発光を無くし、且つ消費電力の削減という効果を得ることが可能である。
【実施例３】
【００６５】
実施例１では、陰極リセット法を用いたリセット時及びプリチャージ時において表示パネル４０を構成するＥＬ素子４１の寄生容量Ｃｐをプリチャージしているが、ＥＬ素子４１の点灯状態（走査する陰極線ＲＬ毎のＥＬ素子４１の点灯率、及びディマー値）に起因して発生するクロストークを低減することができない。
【００６６】
具体的には、ＥＬ素子４１の点灯状態（走査する陰極線ＲＬ毎のＥＬ素子４１の点灯率、及びディマー値）に起因して発生するクロストークを低減させるためには、表示パネル４０を構成するＥＬ素子４１の寄生容量Ｃｐに対するプリチャージを制御可能にすることが必要である。即ち、非点灯が多い場合（点灯率小）、走査する各陰極線ＲＬ毎の立ち上りが緩慢になる現象が発生し、非点灯が少ない場合（点灯率大）、走査する各陰極線ＲＬ毎の立ち上りが急峻になる現象が発生することにより、点灯率小の場合、少し暗くなり、点灯率大の場合、少し明るくなる水平クロストークが発生する。
【００６７】
このような不都合を特許文献４の技術において解決しようとしているが、未だ十分に解決されていない。そこで、本発明の実施例３では、そのような不都合を以下のようにして解決している。
【００６８】
（実施例３の構成）
図１１は、本発明の実施例３におけるパッシブ駆動型表示パネルの駆動装置を示す概略の構成図であり、実施例１を示す図１中の要素と共通の要素には共通の符号が付されている。
【００６９】
本実施例３のパッシブ駆動型表示パネルの駆動装置では、実施例１のタイミング制御回路７０を、レジスタ回路７１、画像データ等を格納する半導体メモリ（例えば、グラフィック・ランダム・アクセス・メモリ、以下「ＧＲＡＭ」という。）７２、このＧＲＡＭ７２のアクセスを制御するＧＲＡＭ制御回路７３、及び、陰極Ｌライン算出回路７４等により構成している。
【００７０】
レジスタ回路７１は、ＣＰＵインタフェース６９に接続され、プリチャージタイミングや時間階調タイミング等の各種タイミングや、走査する各陰極線ＲＬ毎のＥＬ素子４１の点灯率をパラメータとしたルックアップテーブルを実施するデータを保持する回路であり、このレジスタ回路７１に、ＧＲＡＭ制御回路７３及び陰極Ｌライン算出回路７４が接続されている。陰極Ｌライン算出回路７４は、走査する各陰極線ＲＬ毎のＥＬ素子４１の点灯率をパラメータとしたルックアップテーブルと、陽極データ出力の「０」データ検出から点灯率を算出する回路とにより、（Ｌ／陰極線数ｎ）×陰極駆動電圧ＶｆにおけるＬ値（但し、Ｌ；陰極リセット法のリセット時及びプリチャージ時において“Ｌ”（走査）にする陰極線ＲＬの本数）を算出する回路であり、この算出結果が制御信号として陰極データ転送回路８２又は陰極ドライバ制御回路８４に与えられる。その他の構成は、実施例１と同様である。
【００７１】
（実施例３の表示パネルの駆動方法）
図１２（ａ）〜（ｃ）は、図１と比較したときの図１１の陰極リセット法における模式的な陽極動作波形を示す図である。
【００７２】
本実施例３では、実施例１の動作を示す図７において、陰極リセット法を実施するリセット時及びプリチャージ時における陰極線ＲＬ０〜ＲＬｎ中のＬ本を走査する際のＬ値を、陰極Ｌライン算出回路７４により算出し、この算出結果を制御信号として陰極データ転送回路８２又は陰極ドライバ制御回路８４に与える。
【００７３】
ここで、陰極Ｌライン算出回路７４は、ＣＰＵインタフェース６９を介してレジスタ回路７１から与えられるデータに基づき、陰極リセット法の実施時において、走査する各陰極線ＲＬ毎のＥＬ素子４１の点灯率をパラメータとしたルックアップテーブルと、陽極データ出力の「０」データ検出から点灯率を算出する回路とにより、（Ｌ／陰極線数ｎ）×陰極駆動電圧ＶｆにおけるＬ値を算出する。
【００７４】
この算出結果等に基づき、陽極ドライバ制御回路８３で制御される陽極ドライバ５０と、陰極ドライバ制御回路８４で制御される陰極ドライバ６０とにより、陰極リセット法を実施するリセット時及びプリチャージ時に、全陽極線ＣＬ０〜ＣＬｍと、全陰極線ＲＬ０〜ＲＬｎ中のＬ本の陰極線ＲＬとが、同時に“Ｌ”になり、次に発光されるＥＬ素子４１の寄生容量Ｃｐに対するプリチャージが実施される。
【００７５】
このように、全陰極線ＲＬ０〜ＲＬｎ中のＬ本分を“Ｌ”に制御することにより、陽極ドライバ５０の出力開始時の陽極線出力電圧を、図１２（ｃ）に示すように、点灯率に対応して（Ｌ／ｎ）×Vccr電圧にＥＬ素子駆動開始時電圧を制御可能となり、本制御電圧を陽極駆動電圧Ｖｆ付近に設定することができる。
【００７６】
（実施例３の効果）
本実施例３では、陰極ライン算出回路７４により、陰極リセット法の実施時に走査する陰極線ＲＬの本数Ｌの値を点灯率から求め、ＥＬ素子４１の寄生容量Ｃｐをプリチャージするようにしたので、陽極ドライバ５０の出力開始時の陽極線出力電圧を点灯率に対応して（Ｌ／ｎ）×Vccr電圧にＥＬ素子駆動開始時電圧を制御可能となる。本制御電圧を陽極駆動電圧Ｖｆ付近に設定可能とすることにより、駆動装置の回路の複雑化や回路規模の増大化を招かずに、陽極線出力に（１／陰極線数）を最小分解能とする設定電位に印加可能となる。
【００７７】
そのため、図１２（ａ）、（ｂ）に示すようなＥＬ素子４１の破壊やＥＬ素子４１の点灯状態（走査する陰極線ＲＬ毎のＥＬ素子４１の点灯率、及びディマー値）に起因して発生する実施例１（図１）のクロストークを低減させることができ、且つＥＬ素子４１の寄生容量Ｃｐのプリチャージが可能となる。
【実施例４】
【００７８】
実施例１〜３のパッシブ駆動型表示パネルの駆動装置において、例えば、時間階調制御方式により階調表示を行う場合は、ＰＷＭ（Pulse Width Modulation、パルス幅変調）方式によりパルス幅が制御されたスイッチ切り替え信号を陽極ドライバ５０から出力してドライブスイッチ５３−０〜５３−ｍをオン／オフ動作させる。
【００７９】
ところが、ＰＷＭ方式の駆動方法の場合は、ＥＬ素子４１の消灯状態（走査する陰極線ＲＬ毎のＥＬ素子４１のディマー値、消灯タイミングとそのタイミングにおける消灯率）に起因して、例えば、暗い灰色表示が薄く灰色に光る疑似発光（クロストーク）が発生して画質が劣化することがある。これを改善するために、本実施例４では、下記のように、表示パネル４０のターンオフに伴い発生する点灯素子の電圧の変化量を制御可能にして、発生するクロストークを低減させている。
【００８０】
（実施例４の構成）
図１３は、本発明の実施例４におけるパッシブ駆動型表示パネルの駆動装置を示す概略の構成図であり、実施例１を示す図１中の要素と共通の要素には共通の符号が付されている。
【００８１】
本実施例４のパッシブ駆動型表示パネル４０は、実施例１と同様に、複数の陽極線ＣＬ（＝ＣＬ０，ＣＬ１，ＣＬ２，・・・，ＣＬｍ−１，ＣＬｍ）と複数の陰極線ＲＬ（＝ＲＬ０，ＲＬ１，ＲＬ２，・・・，ＲＬｎ−１，ＲＬｎ）とがマトリクス状に配置され、その各交点位置にＥＬ素子４１（＝４１−００，４１−０１，・・・）がそれぞれ接続されている。各ＥＬ素子４１には、これと並列に寄生容量Ｃｐが存在している。更に、各陽極線ＣＬには、複数の配線抵抗Ｒ４２が直列に接続された状態で存在し、各陰極線ＲＬにも、複数の配線抵抗Ｒ４３が直列に接続された状態で存在する。
【００８２】
このような寄生容量Ｃｐ及び配線抵抗Ｒ４２，Ｒ４３を有する表示パネル４０において、例えば、陽極線ＣＬをデータ線とし、陰極線ＲＬを走査線とした場合、これらを駆動する駆動装置は、実施例１とは異なる陽極ドライバ９０と、実施例１と同様の陰極ドライバ６０とを備えている。
【００８３】
陽極ドライバ９０は、電源電圧Vcccが印加されて動作する駆動源である定電流回路５１と、各陽極線ＣＬを選択する複数のドライブスイッチ５３（＝５３−０，５３−１，５３−２，・・・，５３−ｍ−１，５３−ｍ）と、各単体の抵抗９１又は各並列抵抗９１，９２のいずれか一方を選択する複数のドライブスイッチ５４（＝５４−０，５４−１，５４−２，・・・，５４−ｍ）とを有している。定電流回路５１は、複数の定電流源５２（＝５２−０，５２−１，５２−２，・・・，５２−ｍ−１，５２−ｍ）により構成されている。各並列抵抗９１，９２は、電源線９３に接続されている。電源線９３には、直列に接続された複数の配線抵抗Ｒ９３が存在し、この電源線９３の一端が、ツェナーダイオード９４を介して接地電圧VsshのＧＮＤに接続されている。
【００８４】
各ドライブスイッチ５３は、タイミング制御回路１００、陽極データ転送回路８１、及び陽極ドライバ制御回路８３により、各陽極線ＣＬと各定電流源５２又は各低電圧ノードＮ５４とを切り替え接続するスイッチ素子である。各低電圧ノードＮ５４は、各抵抗９１を介して電源線９３に接続されると共に、各ドライブスイッチ５４及び抵抗９２を介して電源線９３に接続されている。各ドライブスイッチ５４は、陽極ドライバ制御回路８３によりオン／オフ動作し、オン状態の時には、低電圧ノードＮ５４を抵抗９１及び９２の並列抵抗を介して電源線９３に接続し、オフ状態の時には、低電圧ノードＮ５４を抵抗９１を介して電源線９３に接続するスイッチ素子である。
【００８５】
陰極ドライバ６０は、実施例１と同様に、各陰極線ＲＬを順に走査する複数の走査スイッチ６１（＝６１−０，６１−１，６１−２，・・・，６１−ｎ−１，６１−ｎ）を有している。各走査スイッチ６１は、実施例１とは異なる構成のタイミング制御回路１００、実施例１と同様の陰極データ転送回路８２、及び陰極ドライバ制御回路８４により、各陰極線ＲＬと逆バイアス電圧Vccr又は接地電圧VsshのＧＮＤとを切り替え接続するスイッチ素子である。
【００８６】
タイミング制御回路１００は、駆動装置のタイミングを制御する回路であり、ＣＰＵインタフェース６９に接続されたＣＰＵ制御インタフェース１０１、レジスタ回路１０２、ＧＲＡＭ１０３、ルックアップテーブル１０４、及び、タイミング生成回路・ＧＲＡＭ制御回路１０５を有している。ＣＰＵ制御インタフェース１０１は、ＣＰＵインタフェース６９から与えられる画像表示データや制御コマンドデータ（制御命令データ）等を入力するものであり、この出力側にレジスタ回路１０２、ＧＲＡＭ１０３、及びルックアップテーブル１０４が接続されている。
【００８７】
レジスタ回路１０２は、ＣＰＵ制御インタフェース１０１から与えられる制御コマンドデータを保持する回路であり、この出力側にタイミング生成回路・ＧＲＡＭ制御回路１０５、消灯率算出回路１０６、定電流回路５１、陽極データ転送回路８１、及び、陰極データ転送回路８２が接続されている。ＧＲＡＭ１０３は、ＣＰＵ制御インタフェース１０１から与えられる画像表示データを保持するメモリであり、この出力側にタイミング生成回路・ＧＲＡＭ制御回路１０５が接続されている。ルックアップテーブル１０４は、消灯率から陽極線ＣＬの“Ｌ”（シンク）駆動能力（即ち、陽極線ＣＬを“Ｌ”に引き込むための能力）を決定するためのパラメータデータを保持する記憶手段であり、この出力側に消灯率算出回路１０６が接続されている。
【００８８】
タイミング生成回路・ＧＲＡＭ制御回路１０５は、画像表示のタイミング信号を生成するタイミング生成回路１０５ａ、及び、ＧＲＡＭ１０３をアクセス制御するＧＲＡＭ制御回路１０５ｂにより構成され、レジスタ回路１０２から与えられる制御コマンドデータに基づいて画像表示データを所定のタイミングで出力する回路であり、この出力側に消灯率算出回路１０６、陽極データ転送回路８１、及び陰極データ転送回路８２が接続されている。消灯率算出回路１０６は、制御コマンドデータに基づき、ルックアップテーブル１０４のパラメータデータを参照して消灯率を算出する回路であり、この算出結果を陽極データ転送回路８１及び陽極ドライバ制御回路８３に与えると共に、各ドライブスイッチ５４を切り替えてツェナー電圧へのシンク駆動能力を変化させる機能を有している。
【００８９】
陽極データ転送回路８１は、タイミング生成回路・ＧＲＡＭ制御回路１０５から送られてくる画像表示データを陽極ドライバ制御回路８３へ転送する回路である。陽極ドライバ制御回路８３は、画像表示データに基づき、各陽極線ＣＬと各定電流源５２又は各低電圧ノードＮ５４との各ドライバスイッチ５３の接続状態を切り替える機能を有している。陰極データ転送回路８２は、タイミング生成回路・ＧＲＡＭ制御回路１０５から送られてくる表示データを陰極ドライバ制御回路８４へ転送する回路である。陰極ドライバ制御回路８４は、表示データに基づき、各陰極線ＲＬと電源電圧Vccr又は接地電圧VsshのＧＮＤとの各走査スイッチ６１の接続状態を切り替える機能を有している。
【００９０】
図１４は、図１３のルックアップテーブル１０４に保持されるパラメータデータの一例を示す図である。
【００９１】
パラメータデータRcon10，Rcon20，・・・は、消灯率（％）から陽極線ＣＬの“Ｌ”（シンク）駆動能力を決定するためのデータである。
【００９２】
（実施例４の表示パネルの駆動方法）
図１５−１（ａ）、（ｂ）及び図１５−２（ｃ）、（ｄ）は、図１３の陽極消灯に伴うクロストーク発生動作を示す図である。
【００９３】
パッシブ駆動型表示パネル４０は、陽極ドライバ９０及び陰極ドライバ６０により駆動される。
【００９４】
ＣＰＵインタフェース６９から送られてくる画像表示データや制御コマンドデータは、ＣＰＵ制御インタフェース１０１を介してＧＲＡＭ１０３に書き込まれる。ＧＲＡＭ１０３から読み出された画像表示データは、タイミング生成回路・ＧＲＡＭ制御回路１０５により駆動タイミングが制御され、陽極データ転送回路８１、及び陽極ドライバ制御回路８３を介して陽極ドライバ９０に供給されると共に、陰極データ転送回路８２、及び陰極ドライバ制御回路８４を介して陰極ドライバ６０に供給される。
【００９５】
階調方式がＰＷＭの場合、タイミング生成回路・ＧＲＡＭ制御回路１０５により生成される駆動タイミングは、画像表示データに比例する輝度データに対応したパルス幅を示すアナログ信号であり、例えば、画像表示データ入力及び水平同期信号と垂直同期信号を受け取り、画像表示データ入力を水平同期信号に同期させＰＷＭ変調し、画像表示データ入力に対応する長さのパルスを陽極ドライバ９０のドライブスイッチ５３−０，５４−０，５３−１，５４−１，・・・，５３−ｍ，５４−ｍに出力する。又、垂直同期信号に同期させた陰極を順次“Ｌ”アクティブ走査し、走査線を次々に駆動して行くことにより、表示パネル全体の順次走査を実施する信号を、陰極ドライバ６０の走査スイッチ６１−０，６１−１，６１−２，・・・，６１−ｎに出力する。
【００９６】
パッシブ駆動型表示パネル４０では、図１５−１（ａ）に示すように、陰極線ＲＬ（例えば、ＲＬ０）が“Ｌ”の時、この陰極線ＲＬ０に接続されたＥＬ素子４１−００，４１−１０，４１−２０，・・・が点灯する。各ＥＬ素子４１−００，４１−１０，４１−２０，・・・がどの程度の輝度で点灯するかは、陽極ドライバ９０のドライブスイッチ５３−０，５４−０，５３−１，５４−１，５３−２，５４−２，・・・により決定される。
【００９７】
図１５−１（ｂ）、図１５−２（ｃ）、（ｄ）に示すように、各ＥＬ素子４１−００，４１−１０，４１−２０，・・・の入力電流は、画像表示データ入力に対応した、ある陽極線ＣＬ（例えば、ＣＬ１）のＰＷＭ変調が発生してＥＬ素子４１−１０が消灯すると、陰極ドライバ６０の走査スイッチ６１−０に流れ込む陽極ドライバ出力の総電流量が減少し、陰極線ＲＬ０の複数の配線抵抗Ｒ４３や走査スイッチ６１−０の抵抗成分による陰極ドライバ６０の“Ｌ”駆動電圧が、減少した電流分のみ下がる。これに伴って、陽極ドライバ９０におけるドライブスイッチ５３−０，５３−２，・・・の“Ｈ”駆動電圧は、表示パネル４０の各ＥＬ素子４１の閾値電圧Ｖｆにより決定されるため、下がる。
【００９８】
陽極ドライバ９０の“Ｈ”駆動電圧は、陽極ドライバ９０の消灯数とこの減少電流、消灯した陽極ドライバ９０に関する陽極線ＣＬの配線抵抗Ｒ４２、陰極線ＲＬの配線抵抗Ｒ４３、及びＥＬ素子４１の寄生容量Ｃｐ等による電圧降下によりばらつく。このばらつきにより、点灯中のＥＬ素子４１−００，４１−２０，・・・に流れ込む総電流量が変異し、電流量に比例する輝度が、他のドライブスイッチ５３−１，５４−１，・・・の消灯が発生するタイミング前後で変化し、図１６（ａ）、（ｂ）に示すようなクロストークが発生する。
【００９９】
図１６（ａ）、（ｂ）は、図１３の表示パネル４０の画面を示す模式図である。図１６（ａ）、（ｂ）の左画面が画像表示データを示し、右画面が画像表示状態示す図である。図１６（ａ）の場合、左画面の左上の領域（３）が白色データ、右上の領域（１）及び左下の領域（２）が灰色データであり、右画面の画像表示状態では、そのまま領域（３）が白色、及び領域（１）、（２）が灰色で表示されており、クロストークが発生していない。これに対して図１６（ｂ）の場合、左画面の左上の領域（３）が黒色データ、右上の領域（１）及び左下の領域（２）が灰色データであり、右画面の画像表示状態では、そのまま領域（３）が黒色、及び領域（１）が灰色で表示されているが、領域（２）では少し明るい灰色で表示されており、この領域（２）にクロストークが発生している。
【０１００】
このようなクロストークの発生を防止するために、本実施例４では、ＣＰＵ制御インタフェース１０１を介して、表示パネル４０の消灯率毎に陽極ドライバ９０の“Ｌ”（シンク）駆動能力を決定するパラメータデータを保持するルックアップテーブル１０４に、消灯率と“Ｌ”（シンク）駆動能力を設定する図１４のようなパラメータデータを書き込むと、このパラメータデータが消灯率算出回路１０６へ出力される。
【０１０１】
ＧＲＡＭ１０３に書き込まれた画像表示データは、タイミング生成回路・ＧＲＡＭ制御回路１０５により、陽極データ転送回路８１、陰極データ転送回路８２、及び消灯率算出回路１０６へ転送される。消灯率算出回路１０６では、転送された画像表示データから各階調毎の消灯率（％）を算出し、ルックアップテーブル１０４の消灯率（％）１０，２０，・・・と“Ｌ”（シンク）駆動能力を設定するデータRcon10，Rcon20，・・・から、各階調タイミングの陽極ドライバ“Ｌ”（シンク）駆動能力設定値を決定し、陽極ドライバ９０へ出力し、ドライブスイッチ５３−１，５４−１，・・・のオン抵抗（例えば、抵抗９１又は並列抵抗９１，９２）を制御し、“Ｌ”（シンク）駆動能力を制御する。
【０１０２】
図１７は、図１６のクロストーク発生のメカニズムを示す模式的なタイムチャートである。
【０１０３】
陽極ドライバ９０の“Ｌ”（シンク）駆動能力を制御すれば、図１７に示すように、消灯する陽極線ＣＬ１の“Ｈ”から“Ｌ”への駆動波形の傾きが制御可能となり、この傾きにより、消灯率により発生する図１６の領域（３）の余剰電荷を制御することにより、点灯中のＥＬ素子４１−００，４１−２０，・・・に流れ込む総電流量を変化無し、又は変化無しに近い値に設定し、電流量に比例する輝度が、他の陽極線ＣＬ１，・・・の消灯が発生するタイミング前後で変化しないようになる。又は変化しても、人の目に判断できない程度に変化量を抑え込み、人の目にクロストークが発生しないようにする。
【０１０４】
（実施例４の効果）
本実施例４によれば、表示パネル４０の駆動装置に、ＥＬ素子４１の点灯から消灯へ移行する消灯率をパラメータとしたパラメータデータを保持するルックアップテーブル１０４と、陽極線ＣＬをターンオフする際の抵抗９１，９２のオン抵抗値を変えてシンク駆動能力を可変にするドライブスイッチ５３，５４と、走査する陰極線ＲＬ毎にて点灯から消灯とする各タイミングの消灯率と前記パラメータデータから抵抗９１，９２のオン抵抗値を変えるドライブスイッチ５３，５４を制御する消灯率算出回路１０６とを設け、走査する陰極線ＲＬ毎にて点灯から消灯とする各タイミングの消灯率から走査する陰極線ＲＬ毎のＥＬ素子４１の点灯から消灯へ移行するタイミングにおいて、抵抗９１，９２のオン抵抗値を制御することにより、表示パネル４０のターンオフに伴い発生する点灯素子の電圧の変化量を制御している。これにより、表示パネル４０のターンオフに伴い発生する点灯素子の電圧の変化量に起因して発生するクロストークを低減できる。
【実施例５】
【０１０５】
（実施例５の構成）
図１８は、本発明の実施例５におけるパッシブ駆動型表示パネルの駆動装置を示す概略の構成図であり、実施例４を示す図１３中の要素と共通の要素には共通の符号が付されている。
【０１０６】
本実施例５のパッシブ駆動型表示パネルの駆動装置では、実施例４の陽極ドライバ９０に代えて、これとは構成の異なる陽極ドライバ１１０を設けている。陽極ドライバ１１０は、電源電圧Vcccが印加されて動作する駆動源である定電流回路５１と、各陽極線ＣＬ（＝ＣＬ０，ＣＬ１，ＣＬ２，・・・，ＣＬｍ）を選択する複数のドライブスイッチ５３（＝５３−０，５３−１，５３−２，・・・，５３−ｍ−１，５３−ｍ）と、各ドライブスイッチ５３により切り替えられる各低電圧ノードＮ５４に、一端がそれぞれ接続された抵抗９１と、これらの抵抗９１の他端に接続され、直列接続された複数の配線抵抗Ｒ９３が存在する電源線９３と、この電源線９３の“Ｌ”駆動電圧を消灯率に基づき可変して所望の電圧値に設定する“Ｌ”駆動電圧設定回路１２０とを有している。
【０１０７】
定電流回路５１は、複数の定電流源５２（＝５２−０，５２−１，５２−２，・・・，５２−ｍ−１，５２−ｍ）により構成されている。各ドライブスイッチ５３は、陽極ドライバ制御回路８３により、各陽極線ＣＬと各定電流源５２又は各低電圧ノードＮ５４とを切り替え接続するスイッチ素子である。
【０１０８】
“Ｌ”駆動電圧設定回路１２０は、レジスタ回路１０２に保持された制御コマンドデータに基づき、消灯率算出回路１０６から与えられるディジタル信号からなる消灯率算出結果をアナログ信号に変換して“Ｌ”駆動電圧を出力するディジタル／アナログ変換器（以下「ＤＡＣ」という。）１２１と、このＤＡＣ１２１から出力される“Ｌ”駆動電圧を入力して電源線９３をその“Ｌ”駆動電圧と同一の電圧値に保持する演算増幅器からなるボルテージフォロア回路１２２とを有している。その他の構成は、実施例４と同様である。
【０１０９】
図１９は、図１８のルックアップテーブル１０４に保持されるパラメータデータの一例を示す図である。
【０１１０】
パラメータデータVcl10，Vcl20，・・・は、消灯率（％）から陽極線ＣＬの“Ｌ”（シンク）駆動能力を決定するためのデータである。
【０１１１】
（実施例５の表示パネルの駆動方法）
点灯動作とクロストーク発生動作は、実施例４と同様であるので、実施例４と異なる動作について、以下説明する。
【０１１２】
ＣＰＵインタフェース６９から与えられる画像表示データや制御コマンドデータがＣＰＵ制御インタフェース１０１に入力されると、表示パネル４０の消灯率毎に陽極ドライバ１１０の“Ｌ”駆動電圧を決定するパラメータデータを保持するルックアップテーブル１０４に、消灯率と“Ｌ”駆動電圧を設定するデータが書き込まれ、このデータが消灯率算出回路１０６へ出力される。ＣＰＵ制御インタフェース１０１に入力された画像表示データは、ＧＲＡＭ１０３に書き込まれ、この書き込まれた画像表示データが、タイミング生成回路・ＧＲＡＭ制御回路１０５により、陽極データ転送回路８１、陰極データ転送回路８２、及び消灯率算出回路１０６へ転送される。
【０１１３】
消灯率算出回路１０６では、転送された画像表示データから各階調毎の消灯率を算出し、ルックアップテーブル１０４に保持された消灯率と“Ｌ”駆動電圧を設定するデータから、各階調タイミングの陽極ドライバ“Ｌ”駆動電圧設定値を決定する。このアナログ信号からなるＬ”駆動電圧設定値は、Ｌ”駆動電圧設定回路１２０内のＤＡＣ１２１によりディジタル信号に変換された後、ボルテージフォロア回路１２２により、電源線９３がその“Ｌ”駆動電圧値を保持するよう制御される。
【０１１４】
このような“Ｌ”駆動電圧の制御により、実施例４とほぼ同様に、消灯する陽極線ＣＬの“Ｈ”から“Ｌ”への駆動波形の傾きを制御可能となり、この傾きにより、消灯率により発生する余剰電荷を制御することにより、点灯中のＥＬ素子４１に流れ込む総電流量を変化無し、又は変化無しに近い値に設定し、電流量に比例する輝度が、他の陽極線ＣＬの消灯が発生するタイミング前後で変化しないようになる。又は変化しても、人の目に判断できない程度に変化量を抑え込み、人の目にクロストークが発生しないようにする。
【０１１５】
（実施例５の効果）
本実施例５によれば、表示パネル４０の駆動装置に、ＥＬ素子４１の点灯から消灯へ移行する消灯率をパラメータとしたパラメータデータを保持するルックアップテーブル１０４と、陽極線ＣＬをターンオフするための電源線９３の“Ｌ”駆動電圧を設定する“Ｌ”駆動電圧設定回路１２０と、走査する陰極線ＲＬにて点灯から消灯とする各タイミングの消灯率とパラメータデータから前記ターンオフの設定電圧を制御する消灯率算出回路１０６とを設け、走査する陰極線ＲＬにて点灯から消灯とする各タイミングの消灯率から走査する陰極線ＲＬのＥＬ素子４１の点灯から消灯へ移行するタイミングにおいて、陽極線ＣＬをターンオフした駆動電圧を可変に制御し、表示パネル４０のターンオフに伴い発生する点灯素子の電圧の変化量を制御している。これにより、表示パネル４０のターンオフに伴い発生する点灯素子の電圧の変化量に起因して発生するクロストークを低減できる。
【０１１６】
（変形例）
本発明は、実施例１〜５に限定されず、種々の利用形態や変形が可能である。この利用形態や変形例としては、例えば、次の（Ａ）〜（Ｃ）のようなものがある。
【０１１７】
（Ａ）  実施例では、ＥＬ素子４１を用いたパッシブ駆動型表示パネル４０の駆動装置に適用した例を説明したが、ＥＬ素子４１以外の発光素子や、液晶素子等の表示素子を用いた平行平板から構成される表示パネルの駆動装置にも適用可能である。
【０１１８】
（Ｂ）  実施例３の陰極Ｌライン算出回路７４は、走査する各陰極線ＲＬ毎のＥＬ素子４１の点灯率をパラメータとしたルックアップテーブルと、陽極データ出力の「０」データ検出から点灯率を算出する回路とにより、（Ｌ／陰極線数ｎ）×陰極駆動電圧ＶｆにおけるＬ値を算出する構成であるが、これに代えて、走査する各陰極線ＲＬ毎のＥＬ素子４１の点灯率と特定の式により、前記Ｌ値を算出する構成にしても良い。
【０１１９】
（Ｃ）  実施例４では、陽極ドライバ９０の“Ｌ”（シンク）駆動能力を制御した例について、実施例５では、陽極ドライバ１１０のターンオフ駆動電圧を制御した例について説明したが、表示パネル４０のターンオフに伴い発生する点灯素子の電圧の変化量を制御する制御手段であれば、どのような回路を用いても適用可能である。又、実施例４、５共に、走査する陰極線ＲＬ毎に詳細に制御することも可能である。
【図面の簡単な説明】
【０１２０】
【図１】本発明の実施例１におけるパッシブ駆動型表示パネルの駆動装置を示す構成図である。
【図２】従来のパッシブ駆動型表示パネルの駆動装置における構成例を示す概略の回路図である。
【図３】従来の図２の駆動装置における陰極リセット法の動作を示す図である。
【図４】図３の陰極リセット法の模式的なタイムチャートである。
【図５】図２の陽極線出力の跳ね上がりの課題を説明するための模式的なタイムチャートであり、
【図６】図１の駆動装置の陰極リセット法における陽極電圧制御の陰極動作を示す図である。
【図７】図６の陰極リセット法の模式的なタイムチャートである。
【図８】従来と比較したときの図１の陰極リセット法における模式的な陽極動作波形を示す図である。
【図９】本発明の実施例２におけるパッシブ駆動型表示パネルの駆動装置を示す概略の構成図である。
【図１０】図９の陽極データが「０」のときの陰極リセット法の制御動作を示す模式的なタイムチャートである。
【図１１】本発明の実施例３におけるパッシブ駆動型表示パネルの駆動装置を示す概略の構成図である。
【図１２】図１と比較したときの図１１の陰極リセット法における模式的な陽極動作波形を示す図である。
【図１３】本発明の実施例４におけるパッシブ駆動型表示パネルの駆動装置を示す概略の構成図である。
【図１４】図１３のルックアップテーブル１０４に保持されるパラメータデータの一例を示す図である。
【図１５−１】図１３の陽極消灯に伴うクロストーク発生動作を示す図である。
【図１５−２】図１３の陽極消灯に伴うクロストーク発生動作を示す図である。
【図１６】図１３の表示パネル４０の画面を示す模式図である。
【図１７】図１６のクロストーク発生のメカニズムを示す模式的なタイムチャートである。
【図１８】本発明の実施例５におけるパッシブ駆動型表示パネルの駆動装置を示す概略の構成図である。
【図１９】図１８のルックアップテーブル１０４に保持されるパラメータデータの一例を示す図である。
【符号の説明】
【０１２１】
４０      表示パネル
４１      ＥＬ素子
５０，９０，１１０      陽極ドライバ
５１      定電流回路
５２，５２−０，５２−１，５２−２      定電流源
５３，５３−０，５３−１，５３−２，５４，５４−０，５４−１，５４−２
ドライブスイッチ
６０      陰極ドライバ
６１−０，６１−１，６１−２      走査スイッチ
７０      タイミング制御回路
７０ａ，８１ａ，８３ａ      「０」検出手段
８１      陽極データ転送回路
８２      陰極データ転送回路
８３      陽極ドライバ制御回路
８４      陰極ドライバ制御回路
９１，９２      抵抗
９３      電源線
１０４      ルックアップテーブル
１０６      消灯率算出回路
１２０      “Ｌ”駆動電圧設定回路
【図１】
2007140473.tif 000003
【図２】
2007140473.tif 000004
【図３】
2007140473.tif 000005
【図４】
2007140473.tif 000006
【図５】
2007140473.tif 000007
【図６】
2007140473.tif 000008
【図７】
2007140473.tif 000009
【図８】
2007140473.tif 000010
【図９】
2007140473.tif 000011
【図１０】
2007140473.tif 000012
【図１１】
2007140473.tif 000013
【図１２】
2007140473.tif 000014
【図１３】
2007140473.tif 000015
【図１４】
2007140473.tif 000016
【図１５−１】
2007140473.tif 000017
【図１５−２】
2007140473.tif 000018
【図１６】
2007140473.tif 000019
【図１７】
2007140473.tif 000020
【図１８】
2007140473.tif 000021
【図１９】
2007140473.tif 000022